(57)【特許請求の範囲】
【請求項１】
魚の表皮から魚鱗を除去するための刃部と該刃部を移動操作させるための柄部とを備える魚鱗取り器具において、
前記刃部は、魚鱗の除去作業の際に、魚の表皮上に横たわる状態で垂直方向切断視略二等辺三角形の柱状をなし、該柱の側周面が魚の表皮に接地する平坦面と該平坦面に連なる二面の側方傾斜面とをなし、
該二面の側方傾斜面が頂部で結ばれて前記柱の前後方向に連続する尾根部と、
前記柱の前端部分が前記平坦面から前記尾根部に向かって切り取られた傾斜を有する前方傾斜面と
を更に備え、
前記前方傾斜面及び側方傾斜面は、前記平坦面との境界をなす辺が連続する一枚刃をなして魚鱗を取り外すことができるようにされていることを特徴とする魚鱗取り器具。
【請求項２】
前記柱の後端部分が前記平坦面から前記尾根部に向かって切り取られた傾斜を有する後方傾斜面を更に備えることを特徴とする請求項１に記載の魚鱗取り器具。
【請求項３】
前記柄部は、前記尾根部から略垂直方向に延出した後に曲折して略水平方向に延出する略鍬状に取り付けられることにより、略水平延出部分がなす握持部分が前記尾根部より高い位置に配されていることを特徴とする請求項１又は２に記載の魚鱗取り器具。
【請求項４】
前記柄部は、前記刃部との相対的位置関係を変更可能な構造を備えることを特徴とする請求項１乃至３のいずれかに記載の魚鱗取り器具。
【発明の詳細な説明】
【技術分野】
【０００１】
本発明は、除去した魚鱗が作業場所の周囲に飛散することなく、また、本体洗浄が容易であり、常に衛生的に使用することができる魚鱗取り器具に関するものである。
【背景技術】
【０００２】
従来、魚鱗取り器具は、魚鱗を刃状部材で削ぎ落とす構造を備えるものや、鉤状部材で掻き取る構造を備えるもの、など数多くの種類が市場に出回っている。また、市場の要望に応えて、従来の魚鱗取り器具の中には、除去した魚鱗が作業場所周辺に飛散することがない構造を備えているものがある（例えば、特許文献１及び２）。
【先行技術文献】
【特許文献】
【０００３】
【特許文献１】実用新案登録第３０３２４９０号公報
【特許文献２】実開平６−５４８３号公報
【発明の概要】
【発明が解決しようとする課題】
【０００４】
特許文献１に記載の魚鱗取り器具は、除去した魚鱗を鱗取り部２及び返し部３がなす凹部に一時的に溜めることにより、除去した魚鱗の飛散を防止している。しかしながら、魚屋や和食飲食店などに勤務する職業的な料理人により専門的又は頻繁に使用される場合、凹部に魚鱗を残留し易く、これを取り除くための作業が必要となるため、魚鱗除去作業以外の作業が頻雑となり、長時間を要することとなる。仍って、従来の魚鱗取り器具は、時間が勝負となるような環境下での使用に適しておらず、例えば、野外活動や一般家庭など、時間に余裕がある環境下での使用に適している。
【０００５】
また、職業的な料理人が使用する場合には、常に清潔且つ衛生的な状態を保つ必要がある。しかしながら、特許文献１に記載の魚鱗取り器具は、凹部に魚鱗や魚脂が残留し易い一方、一般的な洗浄具が凹部の奥まで達し難いため、洗い残しが生じ易く、不衛生になるおそれがある。仍って、特許文献１に記載の魚鱗取り器具は、職業的な料理人による使用に適していない。
【０００６】
また、特許文献２に記載の魚鱗取り器具は、熊手のような複数枚の鱗掻きの刃を備えている。そして、これらの刃の切り込み４には、除去した魚鱗や魚脂が残留し易く、これらを洗浄することは、並大抵の苦労ではない。
【０００７】
ところで、従来の魚鱗取り器具において、除去した魚鱗が飛散する理由は、以下のとおりである。従来の魚鱗取り器具や包丁などの刃先で、魚鱗の先端から基端（根元）に向かって、力を加え外そうとすることにより、魚鱗は、加えられた力に負けて表皮から外れ、その際、必要以上に加えられた余力により、外れた魚鱗が勢い飛散することとなる。
【０００８】
このように、従来の魚鱗取り器具は、除去した魚鱗が、作業場所周辺に飛散して不衛生な状態となるおそれがある。また、除去した魚鱗が飛散することがない構造を備える場合であっても、構造上、残留した魚鱗の洗浄作業に手間取るため、時間が勝負となる職業的な料理人による使用には適していない。
【０００９】
本発明はかかる事情を鑑みてなされたものであり、魚の表皮から魚鱗を除去するための刃部を、魚鱗の除去作業の際に魚の表皮上に横たわる状態で垂直切断視略二等辺三角形の柱状とし、この柱の側周面を魚の表皮に接地する平坦面とこの平坦面に連なる二面の側方傾斜面とし、この二面の側方傾斜面を頂部で結んで柱の前後方向に連なる尾根部とし、この柱の前端部分を平坦面から尾根部に向かって切り取った傾斜を有する前方傾斜面とし、この前方傾斜面及び側方傾斜面と平坦面との境界をなす辺を連続する一枚刃とすることにより、傾斜面の効果で、除去した魚鱗を作業場所に飛散させることなく、一枚刃の効果で、本体洗浄を容易にでき、常に衛生的に使用することができる魚鱗取り器具に関するものを提供することを目的とする。
【課題を解決するための手段】
【００１０】
本発明に係る魚鱗取り器具にあっては、魚の表皮から魚鱗を除去するための刃部と該刃部を移動操作させるための柄部とを備える魚鱗取り器具において、前記刃部は、魚鱗の除去作業の際に、魚の表皮上に横たわる状態で垂直切断視略二等辺三角形の柱状をなし、該柱の側周面が魚の表皮に接地する平坦面と該平坦面に連なる二面の側方傾斜面とをなし、該二面の側方傾斜面が頂部で結ばれて前記柱の前後方向に連続する尾根部と、前記柱の前端部分が前記平坦面から前記尾根部に向かって切り取られた傾斜を有する前方傾斜面とを更に備え、前記前方傾斜面及び側方傾斜面は、前記平坦面との境界をなす辺が連続する一枚刃をなして魚鱗を取り外すことができるようにされていることを特徴とする。
【００１１】
本発明に係る魚鱗取り器具は、魚鱗を取り外すための刃を一枚刃とすることにより、除去した魚鱗が本体の一部に残留して腐敗するおそれがなく、常に清潔且つ衛生的に使用することができる。
【００１２】
また、本発明に係る魚鱗取り器具にあっては、前記柱の後端部分が前記平坦面から前記尾根部に向かって切り取られた傾斜を有する後方傾斜面を更に備えてもよい。
【００１３】
本発明に係る魚鱗取り器具は、更に後方傾斜面を備えることにより、前後左右のすべての方向に傾斜面を備えることとなるので、前後左右いずれの方向に刃部を移動操作させる場合であっても、傾斜面で魚鱗を取り除くことができる。
【００１４】
また、本発明に係る魚鱗取り器具にあっては、前記柄部は、前記尾根部から略垂直方向に延出した後に曲折して略水平方向に延出する略鍬状に取り付けられることにより、略水平延出部分がなす握持部分が前記尾根部より高い位置に配されてもよい。
【００１５】
本発明に係る魚鱗取り器具は、使用者により握持される柄部を刃部の頂部より高い位置に配することにより、除去した魚鱗が使用者の手に付着する事態や使用者の手に魚のひれやとげが接触するなどして負傷する事態を回避することができる。
【００１６】
更にまた、本発明に係る魚鱗取り器具にあっては、前記柄部は、前記刃部との相対的位置関係を変更可能な構造を備えてもよい。
【００１７】
本発明に係る魚鱗取り器具は、刃部に対する相対的な位置が変更可能となるように柄部を取り付けることにより、例えば、柄部を刃部側に向かって水平方向に１８０度回転させて折り畳むか、柄部を刃部側に向かって垂直方向に１８０度回転させて折り畳むか、柄部を刃部から分離するかして、本体の携帯性を確保することができる。
【発明の効果】
【００１８】
本発明に係る魚鱗取り器具は、除去した魚鱗を作業場所周辺に飛散させることなく、使用後の洗浄を容易にして清潔且つ衛生的な状態を保ちながら使用することができる。
【図面の簡単な説明】
【００１９】
【図１】本発明に係る魚鱗取り器具であって柄部と刃部とを一体化させた形態を示す全体外観図である。
【図２】図１に係る魚鱗取り器具を示す図であり、（ａ）は魚鱗取り器具を平面視した全体外観図、（ｂ）は魚鱗取り器具を側面視した全体外観図である。
【図３】図１に係る魚鱗取り器具を示す図であり、（ａ）は魚鱗取り器具を正面視した全体外観図、（ｂ）は魚鱗取り器具を背面視した全体外観図である。
【図４】図１に係る魚鱗取り器具を示す図であり、（ａ）は魚鱗取り器具を裏面視した全体構成図、（ｂ）は刃部が魚鱗を除去する様子を示す説明図である。
【図５】図１に係る魚鱗取り器具を示す図であり、（ａ）は刃部が魚鱗を除去する様子を示す説明図、（ｂ）は魚鱗取り器具の柄部が使用者に握持された様子を示す説明図である。
【図６】本発明に係る魚鱗取り器具であって柄部と刃部とを着脱自在に取り付けた形態を示す全体外観図である。
【図７】本発明に係る魚鱗取り器具であって柄部が刃部に対して水平方向に回転可能な形態を示す図であり、（ａ）は全体外観図であり、（ｂ）は柄部の一部を示す要部拡大断面図である。
【図８】本発明に係る魚鱗取り器具であって柄部が刃部に対して垂直方向に回転可能な形態を示す図であり、（ａ）は刃部側の構成を示す図であり、（ｂ）は柄部と刃部との接続構造を示す図である。
【図９】図１と異なる形態の魚鱗取り器具であって刃部の傾斜面を背面側に形成させた形態を示す全体外観図である。
【発明を実施するための形態】
【００２０】
実施の形態１．
本発明に係る魚鱗取り器具を本実施の形態を示す図面に基づいて以下説明する。図中の１は、魚鱗取り器具である。魚鱗取り器具１は、魚の表皮から魚鱗を除去するための刃部１０と、刃部１０を移動操作させるための柄部１１とを備える。
【００２１】
刃部１０には、一枚の刃１００が形成されている。その結果、本発明に係る魚鱗取り器具にあっては、平行する複数枚の刃の間に魚鱗が残留して洗浄が困難となる、という従来の魚鱗取り器具の問題を回避することができる。
【００２２】
刃部１０と柄部１１とは、一体化してシンプルな形容を有している。その結果、刃に付着している魚鱗や魚脂を短時間に簡単に洗浄することができ、清潔且つ衛生的な状態を保つことができる。その結果、時間が勝負となる職業的な料理人が、専門的且つ頻繁に使用することが可能となる。
【００２３】
柄部１１は、刃部１０の頂点より高い位置に取り付けられている。その結果、魚鱗を外す際、略水平延出部分１１１を握持する使用者の手は、刃部１０の頂点より高い位置にあるので、魚体に接触して魚鱗除去操作を邪魔されることがない。また、魚のひれやとげに接触して負傷するおそれもない。
【００２４】
以下、具体的に説明する。刃部１０は、図１乃至５に示すように、魚鱗の除去操作が行われる際、魚の表皮上に横たわる状態で垂直切断視略二等辺三角形の柱状をなし、端部が柄部１１より正面側にせり出た格好となっている。また、刃部１０は、略二等辺三角柱の側周面をなす三面が、それぞれ、裏面側に形成される平坦面１０１と、側面側に形成される傾斜面１０２及び１０３とをなしている。
【００２５】
また、刃部１０は、傾斜面１０２及び１０３の頂部が交わり、柱の前後方向に高く連なる尾根部１０５が形成され、厚みを有する格好になっている。また、刃部１０は、略二等辺三角柱の正面側端部（前端部分）が切り落とされた格好となっており、平坦面１０１から尾根部１０５に向かって緩やかな傾斜面１０４が形成されている。なお、刃部１０については、後述する実施の形態５に示すように、背面側端部（後端部分）に傾斜面７０を形成するようにしてもよい。
【００２６】
なお、本発明において、平坦面１０１と側面側の傾斜面１０２及び１０３とがなす傾きは、角度ｅ及びｄで示し、平坦面１０１と正面側の傾斜面１０４とがなす傾きは、角度ｆで示し、これらの角度ｄ、ｅ及びｆは、鋭角をなしている（図１乃至３参照）。なお、後述する実施の形態５において、平坦面１０１と背面側の傾斜面７０とがなす傾きは、角度ｄ、ｅ及びｆと同値である。
【００２７】
また、刃部１０は、角度ｄ、ｅ及びｆの角度に基づいて、平坦面１０１と側面側の傾斜面１０２との境をなす辺、平坦面１０１と正面側の傾斜面１０４との境をなす辺及び平坦面１０１と側面側の傾斜面１０３との境をなす辺が、刃１００をなしている。即ち、刃部１０は、背面側を除く三方を囲むように連続して刃１００が形成されている。なお、後述する実施の形態５において、刃部１０は、背面側の傾斜面７０を含めて四方を囲むように刃１００が形成されている。
【００２８】
柄部１１は、図１乃至５に示すように、刃部１０の尾根部１０５から略垂直方向に延出し、その後曲折して略水平方向に延出し、鍬状（略Ｌ字状）をなしている。柄部１１は、略垂直延出部分１１０が、刃部１０と略水平延出部分１１１との間に段差を形成している。
【００２９】
このように、魚鱗取り器具１は、複数の部分で構成されている。そこで、これらの部分を用いた魚鱗取り器具１の使用方法について説明する。
【００３０】
魚鱗取り器具１は、図４（ｂ）に示すように、魚鱗除去操作の際、平坦面１０１が魚の表皮Ｅ（図４中に図示せず）に接地し、傾斜面１０４側の刃１００が魚の表皮Ｅと魚鱗Ｓとの間に差し込まれ、魚鱗Ｓを逆撫でするよう略水平方向に力が加えられる。次に、刃１００が魚の表皮Ｅと魚鱗Ｓとの間に奥深く入り込むに応じて、傾斜面１０４の傾きが魚鱗Ｓを起立させていく。そして、刃１００が魚鱗Ｓの根元側に到達し更に進んで行くことにより、魚鱗Ｓは、表皮Ｅから浮き上がるようにして取り外される。
【００３１】
取り外された魚鱗Ｓは、刃１００が進むにつれて、隣接する別の魚鱗Ｓによって傾斜面１０４に押される格好となり、尾根部１０５に達した後、傾斜面１０２又は１０３側に分散して落ちていく。
【００３２】
また、魚鱗取り器具１は、図５（ａ）に示すように、傾斜面１０３側の刃１００を用いて魚鱗Ｓを除去してもよい。この場合、傾斜面１０３の傾きが、魚鱗Ｓを起立させて取り外し、取り外した魚鱗Ｓを傾斜面１０３に載せていき、尾根部１０５に達した後、反対側の傾斜面１０２を伝って落ちていく。また、傾斜面１０４側にも分散する。なお、傾斜面１０２側を用いた場合は、逆に、傾斜面１０３側を伝って落ちていき、傾斜面１０４側にも分散する。
【００３３】
本発明にあっては、上述する「発明が解決しようとする課題」の欄で述べたとおり、従来の魚鱗取り器具が備えるような魚鱗Ｓの残留が生じることなく、取り外した魚鱗Ｓを傾斜面１０４等を伝って移動させることから、傾斜面１０４等を伝う魚鱗Ｓを適宜取り除くのみで簡単に外した魚鱗の除去作業が完了する。また、本発明にあっては、刃部１０が１枚の刃であることから、洗浄が簡単に完了する。仍って、時間が勝負となる職業的な料理人が、専門的且つ頻繁に使用する場合であってもその用途に耐えることができる。
【００３４】
また、本発明にあっては、魚のひれ周辺部や頭部などの狭小な場所であっても、刃部１０の角部が巧み用いられることにより、魚鱗Ｓを隅々まで削ぎ落とすことができる。また、刃１００が包丁のように鋭利となっていないので、使用者が刃１００に接触して負傷することがない。
【００３５】
また、本発明にあっては、図１乃至５に示すように、柄部１１の略水平延出部分１１１の垂直切断の断面形状が、角が丸められた略矩形となっているので、略水平延出部分１１１を握持する使用者の手を痛めることがない。なお、本発明において、柄部１１の断面形状は、略矩形の断面形状に限定されるものではなく、角が丸めた形状であれば、略多角形、略円形など、他の形状であってもよい。
【００３６】
実施の形態２．
上述する実施の形態１において、柄部１１が刃部１０に一体的に取り付けられた一例を説明した。しかしながら、本願発明は、これに限定されるものでなく、携帯性を有するために、柄部１１が刃部１０から着脱自在に取り付けられる形態であってもよい。以下、実施の形態２として、上述する実施の形態１に対応していない箇所についてのみ説明し、対応する箇所については同一の符号を付してその説明を省略する。
【００３７】
実施の形態２において、柄部１１は、図６に示すように、刃部１０の背面側の端部に着脱自在に取り付けられる。柄部１１は、略垂直延出部分１１０に貫通孔２１が形成されている。刃部１０は、背面側の端部にねじ穴２２が形成されている。貫通孔２１とねじ穴２２とは、略同径をなしている。柄部１１は、貫通孔２１に蝶ねじ２０が挿入され、挿入された蝶ねじ２０が、貫通孔２１により刃部１０のねじ穴２２側に規制されてねじ込まれる。その結果、柄部１１は、刃部１０に固定される。ねじ穴２２は、穴の深さが、ねじ込まれた状態の蝶ねじ２０の先端が届くことがない程度に深く形成されている。ねじ穴２２の余剰空間は、蝶ねじ２０の締め代となり、座金が不要となるように工夫されている。
【００３８】
実施の形態２に係る魚鱗取り器具１は、刃部１０と柄部１１とが着脱自在に取付固定されることにより、携帯性を確保することができる。また、刃部１０と柄部１１とが一本の蝶ねじ２０により固定されることにより、取付操作が容易となり、着脱が容易となる。
【００３９】
実施の形態３．
上述する実施の形態において、柄部１１が刃部１０に着脱自在に取り付けられる一例を説明した。しかしながら、本願発明は、これに限定されるものでなく、柄部１１が、刃部１０と着脱自在であり且つ略垂直延出部分１１０の軸芯を中心として水平方向に回転することができる形態であってもよい。以下、実施の形態３として、上述する実施の形態１の内容に対応していない箇所についてのみ説明し、同内容に対応する箇所については同一の符号を付してその説明を省略する。
【００４０】
実施の形態３において、刃部１０は、図７に示すように、尾根部１０５から略垂直方向に延出して略垂直延出部分１０６が形成されている。略垂直延出部分１０６は、軸芯に沿って貫通孔３２が形成されている。貫通孔３２は、一部に、ねじ溝が形成されている。また、略垂直延出部分１０６は、上端部に突起部１０７が形成されている。突起部１０７は、平面視略正方形をなし、後述する柄部１１の嵌合凹部１１２にぴたりと嵌まり込む形状及び寸法を有している。
【００４１】
柄部１１は、図７に示すように、略水平延出部分１１１の正面側の端部が曲折して略垂直方向に下方に延出し、鍬状（略Ｌ字状）をなしている。また、柄部１１は、略垂直延出部分１１０の下端部に嵌合凹部１１２が形成されている。嵌合凹部１１２は、刃部１０の突起部１０７がぴたりと嵌まり込む形状及び寸法を有し、底部から円柱状突起１１３が突き出ている。円柱状突起１１３は、刃部１０の貫通孔３２に抵抗なく挿入される寸法を有しており、先端部にねじ穴１１４が形成されている。また、円柱状突起１１３は、軸芯が、略垂直延出部分１１０の軸芯と重なり合うように形成されている。
【００４２】
刃部１０の貫通孔３２は、先端に引きばね３３が取り付けられた皿ねじ３４により下端側開口が閉塞される。貫通孔３２は、引きばね３３の直径より大径であり、皿ねじ３４の直径と略同径である。その結果、貫通孔３２は、引きばね３３を抵抗なく受け入れるとともに、皿ねじ３４により下端側開口が閉塞される。このとき、引きばね３３は、端部に設けられた鉤状部分が貫通孔３２の上端側開口から見える格好となる。
【００４３】
柄部１１の円柱状突起１１３は、ねじ３１がねじ穴１１４にねじ込まれ、ねじ込まれたねじ３１を介して鉤状金具３０が突起の先端部に取付固定される。鉤状金具３０は、貫通孔３２の上端側開口から見える引きばね３３の鉤状部分に掛け止めされる。柄部１１は、引きばね３３の引張力により、刃部１０側に引っ張られ、嵌合凹部１１２が刃部１０の突起部１０７からの嵌まり込みを受け、円柱状突起１１３が刃部１０の貫通孔３２に挿入された格好となる。
【００４４】
以上のとおり、実施の形態３に係る魚鱗取り器具１は、複数の部品で構成されることにより、柄部１１の水平回転機構を備える。以下、柄部１１の水平回転機構について説明する。柄部１１は、通常使用の際、突起部１０７の角部と嵌合凹部１１２の隅部とが咬み合うことにより、不意に水平方向に回転することなく固定される。
【００４５】
一方、柄部１１は、折り畳まれる際、柄部１１が持ち上げられて突起部１０７と嵌合凹部１１２との咬み合わせが解除され、回転可能状態となる。このとき、柄部１１は、円柱状突起１１３が刃部１０の貫通孔３２に挿入された状態を保っているので、略垂直延出部分１０６の軸芯を中心として水平方向に回転可能となる。柄部１１は、水平方向に１８０度回転した後、再び、突起部１０７と嵌合凹部１１２とが咬み合わされ、不意に回転することがない状態となる。これで、回転作業が完了する。
【００４６】
実施の形態４．
上述する実施の形態において、柄部１１が刃部１０に着脱自在に取り付けられる一例を説明した。しかしながら、本願発明は、これに限定されるものでなく、柄部１１が、刃部１０と着脱自在であり且つ垂直方向に回転することができる形態であってもよい。以下、実施の形態４として、上述する実施の形態１の内容に対応していない箇所についてのみ説明し、同内容に対応する箇所については、同一の符号を付してその説明を省略する。
【００４７】
実施の形態４において、刃部１０は、図８に示すように、尾根部１０５から略垂直方向に延出して略垂直延出部分１０６が形成されている。略垂直延出部分１０６は、軸芯に沿って貫通孔５０が形成されている。貫通孔５０は、一部に、ねじ溝が形成されている。略垂直延出部分１０６は、上端部に、平行する二枚の突出片１０８とこの基端付近に刻まれた溝部１０９と二つの規制穴５１とが形成されている。また、突出片１０８は、中央に貫通孔５６が形成されている。
【００４８】
柄部１１は、図８に示すように、略水平延出部分１１１の正面側の端部に幅狭部１１５が形成されている。幅狭部１１５は、二枚の突出片１０８の間に僅かな遊びを有して挟まり込む形状及び寸法を有し、幅方向に貫通する貫通孔１１６が形成されている。
【００４９】
また、刃部１０の略垂直延出部分１０６には、押え部材５２が取り付けられている。押え部材５２は、図８に示すように、ボルト形状の部材であり、ボルト先端側にねじ山が刻まれているとともに、ボルト頭部側に接触面５３が形成されている。接触面５３は、平面視略矩形をなし、対向する辺端がボルト先端側に曲折してリブ５４が形成されるとともに、リブ５４に平行して複数の規制棒５５が突き出ている。
【００５０】
押え部材５２は、刃部１０の略垂直延出部分１０６の貫通孔５０の上端側開口から挿入されるとともに、二本の規制棒５５が規制穴５１に嵌まり込む格好となる。また、押え部材５２は、貫通孔５０に挿入された後、ボルト先端側のねじ山に、ナット６０がねじ込まれ、更に、ワッシャ６１及び押しばね６２の順番で差し込まれる。最後に、皿ねじ６４が、刃部１０の略垂直延出部分１０６の貫通孔５０の下端側開口に螺合して閉塞する格好となる。皿ねじ６４は、先端部にワッシャ６３が取り付けられ、ワッシャ６３が押しばね６２の端部を支える。押え部材５２は、押しばね６２の反発力により、接触面５３が押し上げられる格好となる。
【００５１】
また、刃部１０は、略垂直延出部分１０６に柄部１１が回転自在に取り付けられる。刃部１０は、略垂直延出部分１０６の突出片１０８に柄部１１の幅狭部１１５が嵌め込まれ、突出片１０８の貫通孔５６と幅狭部１１５の貫通孔１１６とが連通状態となる。そして、ねじ５７は、連通したねじが切られていない側の貫通孔５６及び貫通孔１１６を貫くように挿入されてねじが切られている側の貫通孔５６と螺合し、柄部１１を回転自在に軸止する。
【００５２】
以上のとおり、実施の形態４に係る魚鱗取り器具１は、複数の部品で構成されることにより、柄部１１の垂直回転機構を備える。以下、柄部１１の垂直回転機構について説明する。柄部１１は、通常使用の際、幅狭部１１５が押え部材５２の接触面５３に押圧されることにより、不意に垂直方向に回転することなく固定される。
【００５３】
一方、柄部１１は、折り畳まれる際、柄部１１の背面側の端部が持ち上げられるに応じて、幅狭部１１５の角部が押え部材５２の接触面５３を押し下げる。押え部材５２は、二本の規制棒５５に規制されることにより、二枚の突出片１０８の間を滑らかに移動し、リブ５４が溝部１０９に達したときに移動を停止する。柄部１１は、押え部材５２を押し下げながら、ねじ５７を中心として垂直方向に１８０度回転し、その後、押え部材５２からの押圧が再開されることにより、不意に回転することがない状態となる。これで、回転作業が完了する。
【００５４】
実施の形態５．
上述する実施の形態において、刃部１０の傾斜面が正面側と側面側とに形成される一例を説明した。しかしながら、本願発明は、これに限定されるものでなく、刃部１０の傾斜面が更に背面側に形成される形態であってもよい。以下、実施の形態５として、上述する実施の形態１の内容に対応していない箇所についてのみ説明し、同内容に対応する箇所については、同一の符号を付してその説明を省略する。
【００５５】
実施の形態５において、刃部１０は、略二等辺三角柱の正面側のみならず背面側の端部（後端部分）に平坦面１０１から尾根部１０５に向かって緩やかな傾斜面７０が形成されている（図９参照）。傾斜面７０は、背面視略二等辺三角形をなし、二等辺三角形の裏面側の辺が刃１００となっている。即ち、実施の形態５において、刃１００は、刃部１０の全周にわたって形成されている。刃部１０は、傾斜面１０２、１０３、１０４及び７０が交わることで尾根部１０５を形成し、厚みを有する格好になっている。
【００５６】
実施の形態５に係る魚鱗取り器具１にあっては、傾斜面７０を用いて魚鱗Ｓを除去することができる。例えば、使用者が魚鱗取り器具１を手前に引っ張る格好での除去作業を所望する場合に適している。
【００５７】
以上のとおり、本願発明に係る魚鱗取り器具１は、柄部１１の醸し出す形容が、刃部１０と一体的に取り付けられる形態（実施の形態１及び実施の形態５を参照）か、刃部１０と着脱自在に取り付けられる形態（実施の形態２を参照）か、刃部１０と着脱自在であり且つ水平方向に回転するように取り付けられる形態か（実施の形態３を参照）、又は、刃部１０と着脱自在であり且つ垂直方向に回転するように取り付けられる形態か（実施の形態４を参照）のいずれであってもよい。
【００５８】
更にまた、上述する実施の形態２、３及び４は、実施の形態１（即ち、刃部１０の傾斜面が正面側と側面側とに形成されている例）に従属する一例を示している。しかしながら、本願発明は、これに限定されるものでなく、実施の形態２、３及び４と、実施の形態５（即ち、刃部１０の傾斜面が正面側、側面側及び背面側に形成されている例）とを組み合わせた構成であってもよい。
【００５９】
例えば、柄部１１が刃部１０と一体的に取り付けられている形態は、専門的且つ頻繁に使用する場合に適している。また、柄部１１が刃部１０と着脱自在に取り付けられている形態は、携帯性を重視するか、野外活動での使用に適している。また、柄部１１が刃部１０に着脱自在且つ回転自在に取り付けられている形態は、携帯性及び野外活動での使用を目的とし、且つ、蝶ねじなどの部品を紛失するおそれがある場合に適している。
【００６０】
また、本願発明に係る魚鱗取り器具１は、除去した魚鱗を作業場所周辺に飛散させることなく、使用後の洗浄も容易であることから、清潔及び衛生的な状態を保つことができる。
【符号の説明】
【００６１】
１  魚鱗取り器具
１０  刃部
１００  刃
１０１  平坦面（裏面側）
１０２  傾斜面（側面側）
１０３  傾斜面（側面側）
１０４  傾斜面（正面側）
１０５  尾根部
１０６  略垂直延出部分（刃部側）
１０７  突起部
１０８  突出片
１０９  溝部
１１  柄部
１１０  略垂直延出部分
１１１  略水平延出部分
１１２  嵌合凹部
１１３  円柱状突起
１１４  ねじ穴
１１５  幅狭部
１１６  貫通孔
２０  蝶ねじ
２１  貫通孔
２２  ねじ穴
３０  鉤状金具
３１  ねじ
３２  貫通孔
３３  引きばね
３４  皿ねじ
５０  貫通孔
５１  規制穴
５２  押し部材
５３  接触面
５４  リブ
５５  規制棒
５６  貫通孔
５７  ねじ
６０  ナット
６１  ワッシャ
６２  押しばね
６３  ワッシャ
６４  皿ねじ
７０  傾斜面（背面側）
ｄ  角度
ｅ  角度
ｆ  角度
Ｅ  魚の表皮
Ｓ  魚鱗
Ｈ  手
【要約】
【課題】除去した魚鱗が作業場所に飛散することなく、本体洗浄が容易であり、常に衛生的に使用することができる魚鱗取り器具に関するものを提供する。
【解決手段】魚の表皮から魚鱗を除去するための刃部１０を、魚鱗の除去作業の際に魚の表皮上に横たわる状態で垂直方向切断視略二等辺三角形の柱状とし、この柱の側周面を魚の表皮に接地する平坦面１０１とこの平坦面１０１に連なる二面の側方傾斜面１０２、１０３とし、この二面の側方傾斜面１０２、１０３を頂部で結んで柱の前後方向に連なる尾根部１０５とし、この柱の前端部分を平坦面１０１から尾根部１０５に向かって切り取った傾斜を有する前方傾斜面１０４とし、この前方傾斜面１０４及び側方傾斜面１０２、１０３と平坦面１０１との境界をなす辺を連続する一枚の刃１００とする。
【選択図】図１【図１】
0005190557.tif 000002
【図２】
0005190557.tif 000003
【図３】
0005190557.tif 000004
【図４】
0005190557.tif 000005
【図５】
0005190557.tif 000006
【図６】
0005190557.tif 000007
【図７】
0005190557.tif 000008
【図８】
0005190557.tif 000009
【図９】
0005190557.tif 000010